(57)【要約】      （修正有）【課題】配線ミス、又は谷部に制御装置を左右逆に設置した場合、回転軸が逆回転し、スライダがそれ以上移動しない位置まで動くことによる回転軸、螺子等の破損を回避するフイルム巻取り巻戻し制御装置の停止装置を提供する。【解決手段】ハウスのフイルム巻取り巻戻し用の螺子を備えた回転軸２２、回転軸に設けた従動側の第２傘歯車２１、第２傘歯車に係止する主動側の第１傘歯車２０、第１傘歯車が設けられた駆動軸、回転軸の螺子に噛合して移動するスライダ２３、スライダ誘導用のガイド棒２３００、スライダが衝止するリミットスイッチ２８，２９、からなるフイルム巻取り巻戻し制御装置１の停止装置において、停止装置が、回転軸に設けた、一方端部に停止手段を形成し、停止手段にスライダが至った際にスライダの動きを規制する。【選択図】図５−１
2020103117.tif 000002
【特許請求の範囲】
【請求項１】
ハウスの谷部、又はサイド部に設けた谷部等開口調整部ケーシングに設けてなる回転軸と、この回転軸に設けた従動側の被回転体と、この従動側の被回転体に係止する主動側の回転体と、この主動側の回転体が設けられた駆動軸と、前記回転軸の螺子に噛合して前進後退するスライダと、このスライダ誘導用のガイド棒と、前記スライダが衝止する前進後退用リミットスイッチと、でなるフイルム巻取り巻戻し制御装置の停止装置において、
前記停止装置は、前記回転軸には、少なくとも、一方端部に停止手段を形成し、この停止手段に、前記スライダが至った暁には、このスライダの動きが規制されることを特徴としたフイルム巻取り巻戻し制御装置の停止装置。
【請求項２】
前記停止手段は、前記回転軸の、少なくとも、一方端部に設けた螺子を備えない軸部であって、
この軸部に、前記スライダが至った暁には、このスライダの動きが規制されることを特徴とした請求項１に記載のフイルム巻取り巻戻し制御装置の停止装置。
【請求項３】
前記軸部は、少なくとも、前記螺子の外径に比し、その外径を、小径とする丸軸とすることを特徴とした請求項２に記載のフイルム巻取り巻戻し制御装置の停止装置。
【請求項４】
前記丸軸の外周面に、軸方向のスリットを設けることを特徴とした請求項３に記載のフイルム巻取り巻戻し制御装置の停止装置。
【発明の詳細な説明】
【技術分野】
【０００１】
本発明は、フイルム巻取り巻戻し制御装置の停止装置に関する。
【背景技術】
【０００２】
本出願人が提案する、特開２０１６−０８６６９１号公報によれば、ハウスの谷部のフイルムを開閉するフイルム巻取り巻戻し制御装置では、開口調整部ケーシングは、回転軸、スライダ（ドグ）、二本のガイド棒、二本の螺軸、第一・第二リミットスイッチから成る構成である。回転軸が回転すると、スライダが水平移動する。第一あるいは第二リミットスイッチのところで衝止すると、フイルムは希望の開度による開口（谷部の開き）で正常状態である。この回転軸の全長に螺子が形成されている従来形態では、次のような場合に故障の原因となる。例えば、配線ミス、又は谷部に制御装置が左右逆に設置した場合、回転軸が逆回転し、スライダがそれ以上移動しない位置まで動いてロックが掛かり、回転軸に負荷が掛かる例等が考えられる。この負荷を要因とする故障には、例えば、回転軸、螺子等の破損が挙げられる。
【０００３】
今回は、このような破損等を防ぐには、例えば、回転軸の一部（端部）を螺子なしとする（例えば、スライダの動き止める停止手段の一例である）。この構造を採用することで、例えば、前記のような配線ミス等の状況下でも、スライダは螺子なし部（丸軸）で空回りとなり、回転軸へ負荷が掛からず破損を免れる。又は，安全スイッチの付設も不要となる。
【０００４】
この改良案を基に従来技術を検討すると、例えば、ハウス等の通風等に関するリミットスイッチ、ドグ（スライダ）等をキーワードに先行文献を調査したが、この種の、スライダが空回りする部分を設けた、回転軸に丸軸を備えた構成の先行文献は見当たらなかった。
【０００５】
上記に鑑み、ハウス外の分野で、丸軸を備えた回転軸に関する文献を挙げると、特開２００３−１１５２３６号公報が挙げられる。この発明は、明細書の［０００７］において、ギヤ体の先端側には、回転ネジ軸に延長して形成された非ネジ状部が形成され、この非ネジ状部が軸受に対して回転及び出入自在に設けられている、との記載がある。しかしながら、その目的と構成に関しての説明は見当たらない。
【特許文献１】特開２０１６−０８６６９１号公報
【特許文献２】特開２００３−１１５２３６号公報
【発明の概要】
【発明が解決しようとする課題】
【０００６】
フイルム巻取り巻戻し制御装置において、その回転軸の全長に螺子が形成されている従来形態では、次のような場合に故障の原因となる。即ち、配線ミス、又は谷部に制御装置を左右逆に設置した場合、回転軸が逆回転し、スライダがそれ以上移動しない位置まで動いてしまいロックが掛かり、回転軸に負荷が掛かる例等が考えられる。この負荷を要因とする故障には、回転軸、螺子等の破損が挙げられる。この回転軸、螺子等の破損に関する改良に関しては、十分でなかった。
【課題を解決するための手段】
【０００７】
本発明の目的達成と、従来の課題解決を図るために、請求項１〜４を提案する。
【発明の効果】
【０００８】
請求項１の発明は、ハウスの谷部、又はサイド部に設けてなる谷部等開口調整部ケーシングに設けた回転軸と、回転軸に設けた従動側の被回転体と、従動側の被回転体に係止する主動側の回転体と、主動側の回転体が設けられた駆動軸と、回転軸の螺子に噛合して移動（前進後退）するスライダと、スライダ誘導用のガイド棒と、スライダが衝止する前進後退用リミットスイッチと、でなるフイルム巻取り巻戻し制御装置の停止装置において、
停止装置は、回転軸には、少なくとも、一方端部に停止手段を形成し、停止手段に、スライダが至った暁には、スライダの動きが規制されることを特徴としたフイルム巻取り巻戻し制御装置の停止装置である。
【０００９】
従って、請求項１では、配線ミス、又は谷部に制御装置を左右逆に設置した場合、回転軸が逆回転し、スライダがそれ以上移動しない位置まで動いてしまいロックが掛かり、回転軸に負荷が掛かる例等を自然に回避し、かつこの負荷を要因とする故障、例えば、回転軸、螺子等の破損を回避できる実益がある。
【００１０】
請求項２の発明は、停止手段は、回転軸の、少なくとも、一方端部に設けた螺子を備えない軸部であって、
軸部に、スライダが至った暁には、スライダの動きが規制されることを特徴としたフイルム巻取り巻戻し制御装置の停止装置である。
【００１１】
従って、請求項２では、請求項１の特徴と効果が達成できることと、この目的達成に関し、最適な構造の停止手段の提供と、改良した回転軸の提供とが図れる実益がある。
【００１２】
請求項３の発明は、軸部は、少なくとも、螺子の外径に比し、外径を、小径の丸軸とすることを特徴としたフイルム巻取り巻戻し制御装置の停止装置である。
【００１３】
従って、請求項３では、請求項２の特徴と効果が達成できることと、この目的達成に関し、最適な構造の軸部の提供と、スライダの支持部の構造を開示できる実益がある。
【００１４】
請求項４の発明は、丸軸の外周面に、軸方向のスリットを設けることを特徴としたフイルム巻取り巻戻し制御装置の停止装置である。
【００１５】
従って、請求項４では、請求項３の特徴と効果が達成できることと、この目的達成に関し、最適な構造の丸軸の提供と、改良した丸軸の提供とが図れる実益がある。
【図面の簡単な説明】
【００１６】
【図１】ハウスの谷部（谷）・サイド部（側面）と妻面・側面と、巻取り巻戻し制御装置（制御装置とする）を示した縮尺俯瞰図
【図２−１】谷部用の制御装置と縦杆を、ハウスに設置した縮尺正面図
【図２−２】図２−１の要部の正面図
【図３−１】サイド部用の制御装置と縦杆を、ハウスに設置した縮尺正面図
【図３−２】図３−１の要部の正面図
【図４】制御装置を側面視した一部欠截・省略の断面図
【図５−１】左側の制御装置を平面視した断面図
【図５−２】図５−１の要部を側面視した断面図
【図５−３】回転軸と、その軸部の一例を示した側面図
【図５−４】回転軸と、その軸部の他の一例を示した側面図
【図６−１】右側の制御装置を平面視した断面図
【図６−２】図６−１の要部を側面視した断面図
【図６−３】回転軸と、その軸部の一例を示した側面図
【図６−４】回転軸と、その軸部の他の一例を示した側面図
【図７】従来の構造において、螺子を備えた回転軸を、谷部等開口調整部ケーシングの壁に貫設し、その回転軸の中央近くにナットが設けられている場合で、破損した回転軸、及び、この破損した側の回転軸にあるナット（止め具）の一例の拡大模式図
【発明を実施するための形態】
【００１７】
以下、本発明の好ましい、一実施例を説明する。
【００１８】
図１、図２−１、図２−２と、図４〜図６−４において、ハウスＡの谷部Ａ２には、立設した制御装置１（左右側の制御部１ａと制御部１ｂ）が設けられている。この制御装置１の外郭は、モータケーシング１００と、このモータケーシング１００に隣設した減速ケーシング１０１と、このモータケーシング１００と減速ケーシング１０１の正面側１００ｂ、１０１ｃ（図１のハウスＡの妻面Ａ１に取付け時）に設けた谷部等開口調整部ケーシング１０２（谷部・サイド部開口位置を規制／制御する調整部の筐体を云う）とで構成されている。但し、この谷部等開口調整部ケーシング１０２には、区画形成した方向変換部ケーシング室１０２ａが設けられている。
【００１９】
減速ケーシング１０１の下側１０１ａには、ハウスＡの妻面Ａ１に立設した伸縮自在の縦杆２（支持材）を取付ける縦杆支持部３が形成されている。
【００２０】
以下、モータケーシング１００と減速ケーシング１０１、及び谷部等開口調整部ケーシング１０２の連係と、個々に収容されている部品を説明すると、モータケーシング１００に設けたモータ１０の出力軸１１は、モータケーシング１００の下側１００ａより突出し、減速ケーシング１０１の背面側１０１ｂ（内部における）に至っている。そして、この減速ケーシング１０１の背面側１０１ｂには、出力軸１１のはすば歯車１１ａに噛合するはすば歯車１２と、このはすば歯車１２を軸支する縦軸１３と、この縦軸１３を架承する対の軸受け１５、１５とが設けられている。縦軸１３の中心部（一例である）にはウォーム１３ａを有する。また、減速ケーシング１０１の正面側１０１ｃ（内部における）には、前記縦軸１３のウォーム１３ａと噛合する（縦軸）ウォームホイール１６と、このウォームホイール１６を架承する巻取り巻戻し用の駆動軸１７と（巻取り巻戻し用の駆動軸１７の両端部１７ａ、１７ｂは、減速ケーシング１０１の左右壁１０１−１、１０１−２より突出している）、巻取り巻戻し用の駆動軸１７を架承する軸受け１８、１８とが設けられている。この巻取り巻戻し用の駆動軸１７の一方の端部１７ａには、巻取り巻戻し用の駆動軸１７を支持するための支持部１７ｃを有し、及び他方の端部１７ｂには、第１傘歯車２０（後述する）を固止する。
【００２１】
従って、出力軸１１の回転は、減速して、次のように伝達される（伝達装置）。伝達装置による回転伝達は、出力軸１１・はすば歯車１１ａ→はすば歯車１２→縦軸１３・ウォーム１３ａ→ウォームホイール１６→巻取り巻戻し用の駆動軸１７である。
【００２２】
前記はすば歯車１１ａ、前記はすば歯車１２、前記ウォーム１３ａ及び前記ウォームホイール１６の形状は、はすば歯車、ウォーム、ウォームホイールに限定されるものではなく、平歯車等の他の形状の歯車に変更することも可能な機構である。
【００２３】
谷部等開口調整部ケーシング１０２に区画形成された方向変換部ケーシング室１０２ａ（換言すると、谷部等開口調整部ケーシング１０２）には、巻取り巻戻し用の駆動軸１７の端部１７ｂが臨んでおり、端部１７ｂに設けた主動側の第１傘歯車２０（主動側の回転体の一例で、その他の歯車、主動機構等も有り得る）が設けられている。方向変換部ケーシング室１０２ａには、主動側の第１傘歯車２０に噛合（係止の一例で、他の連繋機構も有り得る）する従動側の第２傘歯車２１（従動側の被回転体の一例で、その他の歯車、従動機構等も有り得る）と、この第２傘歯車２１を支持し、かつ谷部等開口調整部ケーシング１０２内に架承、又は壁に架承した回転軸２２とが設けられている。従って、巻取り巻戻し用の駆動軸１７の回転は、方向変換して（直交する方向、即ち、モータ１０の出力軸１１の方向Ｘと、逆方向Ｙに変換される）、次のように伝達される（伝達手段）。伝達手段による回転伝達は、巻取り巻戻し用の駆動軸１７→第１傘歯車２０→第２傘歯車２１→回転軸２２である。
【００２４】
谷部等開口調整部ケーシング１０２には、前記回転軸２２と、回転軸２２に沿って移動するスライダ２３（ドック）、このスライダ２３をガイドし、かつ回転軸２２の上に位置するガイド棒２３００と、及びこの回転軸２２と併設し、かつ谷部等開口調整部ケーシング１０２に、それぞれ架承した二本のガイド棒２４、２５と、このガイド棒２４、２５と併設し、かつ谷部等開口調整部ケーシング１０２に、それぞれ架承した二本の螺軸２６、２７と、二本の螺軸２６、２７に、それぞれ設けた第一・第二リミットスイッチ２８、２９（第一・第二スイッチ）と、第一・第二リミットスイッチ２８、２９を調整する、螺軸２６、２７の端部（谷部等開口調整部ケーシング１０２の下側１０２ｂに突出した端部）にそれぞれ設け、かつ谷部等開口調整部ケーシング１０２の外側に位置する摘み３０、３１と、が設けられている。従って、回転軸２２が回転することで、スライダ２３が図５−１において、上下方向に移動する。この移動で、スライダ２３が、第一・第二リミットスイッチ２８、２９に衝止して、フイルムＢを、開口（谷部Ａ２の開き）位置、又は基の（谷部Ａ２の閉まり）位置に、それぞれ停止する。また、第一・第二リミットスイッチ２８、２９の位置（換言すると、例えば、スライダ２３の移動、移動距離等の変更）は、摘み３０、３１の操作で、螺軸２６、２７を回転し、調整する。
【００２５】
本発明のポイントは、図２−１に示された図において、向かって、右側の制御部１ｂの回転軸２２の、少なくとも、一方端部２２ａには、丸軸２２００（螺子なし部）を形成する。また、他方端部２２ｂにも、必要により、丸軸２２０１（螺子なし部）を形成する。前述した、モータ１０の配線ミス、又は谷部Ａ２に制御装置１（左右側に付ける制御部１ａと、１ｂ）を間違えて（左右逆に）設置した場合、回転軸２２が逆回転し、スライダ２３がそれ以上移動しない位置まで動いてしまいロックが掛かり、回転軸２２に負荷が掛かる例等が考えられる。この負荷を要因とする故障には、回転軸２２、螺子２２０２等の破損が発生する（図７に一例を示す）。丸軸２２００、２２０１は、スライダ２３が丸軸２２００、又は２２０１まで至った際にスライダ２３の動きを規制することにより、上記のような故障を未然に防ぐ働きをする。
【００２６】
また、図２−１に示された図において、向かって、左側の制御装置１ａの回転軸２２の、少なくとも、他方端部２２ｂには、丸軸２２０１（螺子なし部）を形成する。また、一方端部２２ａにも、必要により、丸軸２２００（螺子なし部）を形成する。前述した、モータ１０の配線ミス、又は谷部Ａ２に制御装置１（右左側に付ける制御部１ｂと、１ａ）を間違えて（右左逆に）設置した場合、回転軸２２が逆回転し、スライダ２３がそれ以上移動しない位置まで動いてしまいロックが掛かり、回転軸２２に負荷が掛かる例等が考えられる。この負荷を要因とする故障には、図７に示したような回転軸２２、螺子２２０２等の破損が発生する。丸軸２２００、２２０１は、スライダ２３が丸軸２２００、又は２２０１まで至った際にスライダ２３の動きを規制することにより、上記のような故障を未然に防ぐ働きをする。
【００２７】
左右の制御部１ａ、１ｂにおいては、回転軸２２とか、丸軸２２００ａ、丸軸２２００ｂ等の符号は、共通とする。
【００２８】
この制御装置１（向かって右側に位置した制御部１ｂを対象とする）は、図１の如く、ハウスＡの妻面Ａ１に、搖動可能に立設した縦杆２を、減速ケーシング１０１の下側１０１ａに設けられた縦杆支持部３に取付けることで、その谷部Ａ２に配備される。制御装置１に、適宜手段により指令をすると、モータ１０が回転し、前述した減速ケーシング１０１に備えた機器で、例えば、出力軸１１・はすば歯車１１ａ→はすば歯車１２→縦軸１３・ウォーム１３ａ→ウォームホイール１６→巻取り巻戻し用の駆動軸１７に伝わり、この巻取り巻戻し用の駆動軸１７に繋がるジョイント金具３３、及び／又は、巻取り巻戻し軸（図示しない）が回転し、この回転方向の場合には、谷部Ａ２のフイルムＢを、図２−１における時計方向の矢印１の如く巻上げ、この谷部Ａ２を開放（開口）する（図２−１に示した想像線の位置である）。この動作時において、方向変換部ケーシング室１０２ａの第１傘歯車２０、及び第２傘歯車２１の噛合で、伝達方向を変換して、谷部等開口調整部ケーシング１０２の回転軸２２に伝える（回転軸２２の回転は、前述した巻取り巻戻し用の駆動軸１７→第１傘歯車２０→第２傘歯車２１→回転軸２２による）。この回転軸２２の回転により、スライダ２３が移動し、第一リミットスイッチ２８に衝止すると、前記開放端で停止する。尚、開放の大きさは、前述したように、調整可能である。尚、左側に位置した制御装置１ａにおいても、前述の右側に位置した制御装置１ｂに準ずる。
【００２９】
開放の閉塞は、前記の回転と動作の逆となり、反時計方向の矢印２の如く巻戻しとなり、開放を閉塞する。即ち、谷部Ａ２の図示しない、樋に密接する（図１に示した実線の位置である）。
【００３０】
また、図３−１、図３−２におけるハウスＡのサイド部Ａ３（サイド側）には、横設した制御装置１（左右側の制御部１ａと制御部１ｂ）が設けられている。この制御装置１の外郭は、モータケーシング１００と、このモータケーシング１００に隣設した減速ケーシング１０１と、このモータケーシング１００と減速ケーシング１０１との正面側１００ｂ、１０１ｃに設けた谷部等開口調整部ケーシング１０２とで構成されている。但し、この谷部等開口調整部ケーシング１０２には、区画形成した方向変換部ケーシング室１０２ａが設けられている。尚、この制御装置１の構造は、前記図１、図２−１、図２−２等のハウスＡの谷部Ａ２に取付けた制御装置１と同じ機構である。図中３２は、サイドフイルムの巻取り杆であり、巻取り巻戻し用の駆動軸１７に繋がっている。
【００３１】
本発明では、覗き窓３４が、妻面Ａ１に配備した状態では、正面側に設けられている。これにより、例えば、視認に最適で、かつ利便性が確保できる。
【００３２】
前述した各構造・特徴等は、本発明の好ましい一例の説明である。従って、本発明は上述した各例に限定されるものではなく、発明の趣旨の範囲において構成の一部を変更する構造とか、同じ特徴と効果を達成できる構造、等は、本発明の範疇である。
【符号の説明】
【００３３】
１    制御装置
１ａ    制御部
１ｂ    制御部
１００    モータケーシング
１００ａ    下側
１００ｂ    正面側
１０１    減速ケーシング
１０１ａ    下側
１０１ｂ    背面側
１０１ｃ    正面側
１０１−１    右壁
１０１−２    左壁
１０２    谷部等開口調整部ケーシング
１０２ａ    方向変換部ケーシング室
１０２ｂ    下側
１０２ｃ    正面側
２    縦杆
３    縦杆支持部
１０    モータ
１１    出力軸
１１ａ    はすば歯車
１２    はすば歯車
１３    縦軸
１３ａ    ウォーム
１５    軸受け
１６    ウォームホイール
１７    駆動軸
１７ａ    端部
１７ｂ    端部
１７ｃ    支持部
１８    軸受け
２０    第１傘歯車
２１    第２傘歯車
２２    回転軸
２２ａ    端部
２２ｂ    端部
２２００  丸軸
２２０１  丸軸
２２０２  螺子
２３    スライダ
２３００    ガイド棒
２４    ガイド棒
２５    ガイド棒
２６    螺軸
２７    螺軸
２８    第一リミットスイッチ
２９    第二リミットスイッチ
３０    摘み
３１    摘み
３２    巻取り杆
３３    ジョイント金具
３４    覗き窓
Ａ    ハウス
Ａ１    妻面
Ａ２    谷部
Ａ３    サイド部
Ｂ    フイルム
【図１】
2020103117.tif 000003
【図２−１】
2020103117.tif 000004
【図２−２】
2020103117.tif 000005
【図３−１】
2020103117.tif 000006
【図３−２】
2020103117.tif 000007
【図４】
2020103117.tif 000008
【図５−１】
2020103117.tif 000009
【図５−２】
2020103117.tif 000010
【図５−３】
2020103117.tif 000011
【図５−４】
2020103117.tif 000012
【図６−１】
2020103117.tif 000013
【図６−２】
2020103117.tif 000014
【図６−３】
2020103117.tif 000015
【図６−４】
2020103117.tif 000016
【図７】
2020103117.tif 000017